(57)【要約】      （修正有）【課題】照明効果が大幅に低減するだけでなく、灯管の使用寿命は大幅に減少する欠点を解決する直管型冷陰極蛍光の灯頭の改良構成を提供する。【解決手段】灯管１の灯殻の上の特定されていない位置と灯頭５０の環面及び端面には、若干の形状は特定されていない透かし彫りが形成されており、灯管全体の縦方向及び横方向にはいずれも空気が通じる透かし彫りが形成されており、縦方向及び横方向の異なる位置にある透かし彫りにより、灯管内の空間の気体が最良な対流形態となり、灯管が点灯されている時に生じた熱を有効に灯管の外部に排出させるとともに、灯管の外部の低温の空気が灯管内に入ることができ、灯管内の熱は好ましい低温に保持される。これにより、灯管の磨耗は最小の程度に低減し、さらに、灯管の照明効能及び使用寿命を向上させるとともに、灯管内の電子素子は高温で破損される課題を解決し、直管型冷陰極蛍光灯の実用性を大幅に向上させる。【選択図】図５
0003172531.tif 000002
【実用新案登録請求の範囲】
【請求項１】
直管型冷陰極蛍光灯の灯頭の改良構成であって、
中空管状であり、内部の中央の両側にそれぞれ保持槽が設けられており、管体の上に若干の形状は特定されていない透かし彫りが形成された灯殻と、
保持槽に挿入して結合される平板状の基座と、
基座の底部に設けられた複数の冷陰極蛍光灯と、
基座の頂部に設けられており、冷陰極蛍光灯に導接される電子素子と、
灯殻の前後両端にそれぞれ套設され固接されており、端子を有する灯頭と
を備えており、
各端子は導線により電子素子に連結されている直管型冷陰極蛍光灯の灯頭の改良構成であって、
灯頭の環面及び端面に若干の形状は特定されていない透かし彫りが形成されており、灯管全体の縦方向及び横方向にはいずれも空気が通じる透かし彫りが形成されて対流の効果を向上させ、直管型冷陰極蛍光灯に最良な放熱効果を持たせることを特徴とする直管型冷陰極蛍光灯の灯頭の改良構成。
【考案の詳細な説明】
【技術分野】
【０００１】
本考案は照明用の灯具の改良された構成に関する。特に、冷陰極蛍光灯を使用する省エネ灯具について改良されたものに関する。
【背景技術】
【０００２】
一般的な灯管の使用は、灯座に合わせて使用することが必要であり、図１及び図２に示すように、灯座(２)内の両側にそれぞれ接合座(３)が設けられており、灯管(１)の両側における灯頭(５０)に端子(５１)が設けられており、使用しようとする時、灯管(１)の端子(５１)を接合座(３)に挿入して灯座(２)と接合させ、電気的連結の形態を形成し、灯管(１)を点灯することができる。
【０００３】
本考案で称する直管型冷陰極蛍光灯の構成は、だいたい図３に示すように、該灯管(１)は、要は中空管状であり内部の中央の両側においてそれぞれ保持槽(１１)が設けられた灯殻(１０)と、保持槽(１１)に挿入して結合することができる平板状の基座(２０)と、基座(２０)の底部に設けられた複数の冷陰極蛍光灯(３０)と、基座(２０)の頂部に設けられ冷陰極蛍光灯(３０)と導接される電子素子(４０)と、灯殻(１０)の前後両端にそれぞれと套設して固接され端子(５１)を有する灯頭(５０)とを備えており、各端子(５１)は導線により電子素子(４０)に連結している。
【０００４】
前記灯管が点灯されてから熱が生じるが、灯殻が灯管を密閉に覆っているので、灯管が生じる熱が排出できず、絶えずに灯殻内に累積され、時間の経過に伴い、必ず極めて高い温度になり、このような高温により灯管の消耗が大きくなり、灯管の照明効能を低減させるだけでなく、灯管の使用寿命も大幅に減少され、且つ、累積された高温は容易に灯管内の電子素子を焼いて破壊し、電球損害の要因になり、省エネ電球の実用性を大幅に低減させるので、理想的な構成ではない。
【０００５】
図４に示すものは、本考案の出願者が前に出願したものであり、当該冷陰極蛍光灯の技術的特徴は、要は灯殻(１０)において、若干の形状は特定されていない透かし彫り(１０１)が形成されており、位置の異なる透かし彫り(１０１)により、灯管(１)が点灯されている時に生じる熱を灯殻(１０)外に排出させ、灯管(１)の過熱問題を解決する。しかしながら、本考案の出願者が、上記のような構成によれば、やはり灯管(１)が最良な放熱降温の効果を達成できないことに気がつき、特に灯頭(５０)には、電子素子(４０)が一般的に灯殻(１０)の前後の両端であって灯頭(５０)に寄せる位置に設けられるので、電子素子(４０)から生じる熱が灯頭(５０)に累積され排出しにくいことに気が付いた。このため、本考案の考案者は再度この課題につき研究して改良しており、直管型冷陰極蛍光灯が最良な放熱効果を有することに鋭意に努めた。
【考案の概要】
【考案が解決しようとする課題】
【０００６】
本考案は、上記事情に鑑みてなされたものであり、要は、直管型冷陰極蛍光灯は、灯管で長時間で累積された高温の影響を受けて灯管の磨耗が大きくなり、照明効果が大幅に低減するだけでなく、灯管の使用寿命は大幅に減少する欠点を解決する直管型冷陰極蛍光を提供することを目的とする。
【０００７】
本考案の改良構成の技術的特徴は、灯頭の環面及び端面に若干の形状は特定されていない透かし彫りが形成されており、灯管全体の縦方向及び横方向にはいずれも空気が通じる透かし彫りが形成されており、対流の効果を向上させ、直管型冷陰極蛍光灯に最良な放熱効果を持たせることにある。
【図面の簡単な説明】
【０００８】
【図１】本考案の灯管と灯座の配置形態を模式的に示す図である。
【図２】本考案の灯管と灯座の配置形態を模式的に示す図である。
【図３】一般的な直管型冷陰極蛍光灯の構成を模式的に示す図である。
【図４】もっと新たな直管型冷陰極蛍光灯の構成を模式的に示す図である。
【図５】本考案の直管型冷陰極蛍光灯の構成を模式的に示す図である。
【図６】本考案の直管型冷陰極蛍光灯の構成を模式的に示す図である。
【考案を実施するための形態】
【０００９】
以下、図面を参照しながら本考案を詳しく説明する。図５及び図６に示すように、本考案の直管型冷陰極蛍光灯の改良構成の灯管(１)の構成は、要は、灯殻(１０)と、基座(２０)と、冷陰極蛍光灯(３０)と、配電素子(４０)と、及び灯頭(５０)などの部材からなった。該灯殻(１０)は光透過性の極めて良好な中空管状となり、灯殻(１０)の上の特定されていない位置に若干の形状は特定されていない透かし彫りが形成されており、その内部の中央の両側にそれぞれストリップ状の保持槽(１１)が設けられており、該基座(２０)は平板状となり、灯殻(１０)の保持槽(１１)に挿入されて設置されている。複数の該冷陰極蛍光灯(３０)が基座(２０)の底部に設けられており、該配電素子(４０)が基座(２０)の頂部に設けられ冷陰極蛍光灯(３０)に導接されており、該灯頭(５０)が灯殻(１０)の前後両端に套設されて固接され、端子(５１)を有し、導線により配電素子(４０)に連結されている。
【００１０】
本考案の改良された構成は、灯頭(５０)の環面及び端面に若干の形状は特定されていない透かし彫り(５０１)が形成されたことにある。これにより、灯管(１)全体の縦方向及び横方向にはいずれも空気が通じる透かし彫りが形成されており、縦方向及び横方向の異なる位置の透かし彫り(１０１)，（５０１）により、灯管(１)内の空間の気体が最良な対流形態となり、灯管(１)が点灯されている時に生じた熱を有効に灯管(１)の外部に排出させるとともに、灯管(１)の外部の低温の空気が灯管(１)内に入ることができ、灯管(１)内の熱は好ましい低温に保持される。これにより、灯管(１)磨耗は最小の程度に低減し、さらに、灯管(１)の照明効能及び使用寿命を向上させるとともに、灯管(１)内の電子素子(４０)は高温で破損される課題を解決し、直管型冷陰極蛍光灯の実用性を大幅に向上させることができる。
【符号の説明】
【００１１】
１    灯管
２    灯座
３    接合座
１０  灯殻
１１  保持槽
２０  基座
３０  冷陰極蛍光灯
４０  配電素子
５０  灯頭
５１  端子
１０１，５０１  透かし彫り
【図１】
0003172531.tif 000003
【図２】
0003172531.tif 000004
【図３】
0003172531.tif 000005
【図４】
0003172531.tif 000006
【図５】
0003172531.tif 000007
【図６】
0003172531.tif 000008